(57)【要約】【課題】  筐体内の収容空間を有効に利用することができるビルトイン式ガスコンロを提供する。【解決手段】ガスコンロ本体３の導入口金３ｅを、ガスコンロ３の下面３ａより上方の後面部に設ける。導入口金３ｅは、水平方向後方に向けて配置する。導入口金３ｅには、上流側端部６ｂから下流側端部６ｃまで一直線上に延びるＩ型ガス栓６を接続する。ガス栓６には、ガス供給管Ｇを接続する。【選択図】図３
2008113817.tif 000002
【特許請求の範囲】
【請求項１】
上面部に装着口が開口し、前面部に出し入れ口が開口する筐体と、少なくとも下部が上記装着口から筐体内に挿入された状態で上記筐体に取り付けられたガスコンロ本体と、上記筐体の前面開口部を開閉する扉とを備え、上記ガスコンロ本体の上記筐体内に挿入された下部にガス供給管が接続される導入口が設けられ、上記筐体の内部空間の上記ガスコンロ本体より下側の部分が上記出し入れ口から物品が出し入れされる収容空間とされたビルトイン式ガスコンロにおいて、
上記導入口が水平方向に向けて設けられていることを特徴とするビルトイン式ガスコンロ。
【請求項２】
上記導入口が水平方向後方に向けて設けられていることを特徴とする請求項１に記載のビルトイン式ガスコンロ。
【請求項３】
上記導入口が上記ガスコンロ本体の下面より上側に配置されていることを特徴とする請求項１又は２に記載のビルトイン式ガスコンロ。
【請求項４】
上記導入口が上記ガスコンロ本体の後面部に配置されていることを特徴とする請求項３に記載のビルトイン式ガスコンロ。
【請求項５】
上記ガス供給管が上記導入口にガス栓を介して接続されていることを特徴とする請求項１〜４のいずれかに記載のビルトイン式ガスコンロ。
【請求項６】
上記ガス栓として上流側端部から下流側端部まで一直線状に延びるＩ型ガス栓が用いられていることを特徴とする請求項５に記載のビルトイン式ガスコンロ。
【請求項７】
上記ガス栓として、上記導入口にほぼ水平な状態で接続される下流側端部に対し上流側端部が斜め下方へ向かうように「く」字状に屈曲した栓本体と、この栓本体の上流側端部の下部に設けられた開閉用の摘みとを有するガス栓が用いられていることを特徴とする請求項５に記載のビルトイン式ガスコンロ。
【発明の詳細な説明】
【技術分野】
【０００１】
この発明は、ビルトイン式ガスコンロに関する。
【背景技術】
【０００２】
一般に、ビルトイン式ガスコンロは、下記特許文献１に記載されているように、上面部に装着口が、前面部に出し入れ口がそれぞれ設けられた筐体と、装着口に装着されたガスコンロ本体と、出し入れ口を開閉する扉とを備えている。ガスコンロ本体の筐体内に挿入された下部には、導入口が設けられている。この導入口には、ガス供給管が接続される。そして、ガス供給管からガスコンロ本体にガスが供給される。また、筐体の内部空間のうちガスコンロ本体より下側の部分が、収容空間になっており、この収容空間には扉を開閉することによって各種の物品が出し入れされる。
【０００３】
【特許文献１】特開２００１−９９４２６号公報
【発明の開示】
【発明が解決しようとする課題】
【０００４】
上記従来のビルトイン式ガスコンロにおいては、導入口がガスコンロ本体の下面部に下方に向けて設けられている。このため、ガス供給管のうちの少なくとも導入口近傍の下流側端部は、ガスコンロ本体から収容空間に向かって下方に延びる。この結果、有効に利用することができる収容空間が狭くなってしまうという問題があった。
【課題を解決するための手段】
【０００５】
この発明は、上記の問題を解決するために、上面部に装着口が開口し、前面部に出し入れ口が開口する筐体と、少なくとも下部が上記装着口から筐体内に挿入された状態で上記筐体に取り付けられたガスコンロ本体と、上記筐体の前面開口部を開閉する扉とを備え、上記ガスコンロ本体の上記筐体内に挿入された下部にガス供給管が接続される導入口が設けられ、上記筐体の内部空間の上記ガスコンロ本体より下側の部分が上記出し入れ口から物品が出し入れされる収容空間とされたビルトイン式ガスコンロにおいて、上記導入口が水平方向に向けて設けられていることを特徴としている。
この場合、上記導入口が、水平方向後方に向けて設けられ、あるいは上記ガスコンロ本体の下面より上側に配置され、また上記ガスコンロ本体の後面部に配置されていることが望ましい。
上記ガス供給管は、上記導入口に直接に接続されていてもよく、ガス栓を介して接続されていてもよい。
上記ガス栓としては、上流側端部から下流側端部まで一直線状に延びるＩ型ガス栓を用いることが望ましい。また、上記ガス栓として、上記導入口にほぼ水平な状態で接続される下流側端部に対し上流側端部が斜め下方へ向かうように「く」字状に屈曲した栓本体と、この栓本体の上流側端部の下部に設けられた開閉用の摘みとを有するガス栓を用いることが望ましい。
【発明の効果】
【０００６】
上記特徴構成を有するこの発明によれば、導入口が水平方向に向かって設けられているので、導入口に接続されるガス供給管やガス栓は、下方に延ばすことなく、水平方向に延ばすことができる。したがって、ガス供給管やガス栓が筐体内の収容空間を狭めることを防止し、あるいは狭めるにしても小さく抑えることができる。
【発明を実施するための最良の形態】
【０００７】
以下、この発明を実施するための最良の形態を、図面を参照して説明する。
図１〜図４は、この発明の第１実施の形態たるシステムキッチンＳＫを示す。このシステムキッチンＳＫにおいては、図１及び図２に示すように、この発明に係るビルトイン式ガスコンロ１がシステムキッチンＳＫの一部として一体に設けられている。システムキッチンＳＫは、筐体２を有している。この筐体２の一部がガスコンロ１の筐体として用いられている。ガスコンロ１は、独立したものとして設けてもよい。勿論、その場合には、筐体に代えてガスコンロ１専用の筐体が使用される。
【０００８】
図３に示すように、筐体２の上面部には、装着口２ａが設けられている。筐体２の前面部には、上部に操作口２ｂが設けられ、下部に出し入れ口２ｃが設けられている。装着口２ａには、バーナ（図示せず）等を有するガスコンロ本体３がその上部を装着口２ａから上方に突出させた状態で挿入されており、ガスコンロ本体３の周縁部が装着口２ａに臨む上面に載置固定されている。ガスコンロ本体３の下面３ａより下側の筐体２の内部空間が収容空間Ｓになっている。操作摘み（図示せず）等が設けられたガスコンロ本体３の前面３ｂは、操作口２ｂを介して前方に露出されている。なお、ガスコンロ本体３は、その全体が装着口２ａ内に挿入されていてもよい。
【０００９】
筐体２の出し入れ口２ｃは、扉４によって開閉されるようになっている。すなわち、扉４の背面の下部には、上部が開放された収容ボックス５が一体に設けられている。収容ボックス５は、筐体２の内部に閉位置と開位置との間を前後方向へ移動可能に設けられている。収容ボックス５を閉位置に移動させると、図３に示すように、扉４が出し入れ口２ｃを閉じる。収容ボックス５を開位置に移動させると、扉４が筐体２から前方へ移動して出し入れ口２ｃを開く。したがって、収容ボックス５に収容された壜Ｂ等の各種の収容物を出し入れ口２ｃから出し入れすることができる。扉４に代えて回動式の扉を筐体２に設けてもよい。その場合には、通常、収容ボックス５が設けられることがない。
【００１０】
ガスコンロ本体３のケーシングたるボディ３Ａは、図４に示すように、金属板によって構成されている。ボディ３Ａの後面（ガスコンロ本体３の後面）３ｃの斜め後方を向く部分には、窓孔３ｄが形成されている。この窓孔３ｄは、ガスコンロ本体３の下面３ａより上側に配置されている。窓孔３ｄには、ガスバーナに接続された導入口金（導入口）３ｅが貫通状態で設けられている。この導入口金３ｅは、窓孔３ｄより内側のガスコンロ本体３内に配置してもよい。導入口金３ｅは、管状をなしており、その先端開口部が水平方向後方を向くよう、その軸線を前後方向に向けて水平に配置されている。ここで、この発明において水平とは、完全な水平のみならず、この発明の効果が得られる範囲内において上下に僅かに傾斜する場合も含む。
【００１１】
導入口金３ｅには、ガス栓６が継手７を介して接続されている。すなわち、継手７は、管状をなしており、その一端部と他端部とにはテーパ雄ねじ部７ａ，７ｂがそれぞれ形成されている。テーパ雄ねじ部７ａは、導入口金３ｅの内周に嵌合固定されている。ガス栓６は、いわゆるＩ型ガス栓と称されるものであり、スロレートな管状をなす栓本体６ａを有している。栓本体６ａの上流側端部６ｂには、継手８を介してガス供給管Ｇが接続されており、このガス供給管Ｇからガス栓６にガスが供給される。栓本体６ａの下流側端部６ｃには、接続ナット６ｄが回動可能に設けられている。この接続ナット６ｄが継手７の雄ねじ部７ｂに螺合固定されることにより、ガス栓６が導入口金３ｅに継手７を介して接続されている。ここで、導入口金３ｅが水平方向後方に向いて配置されているので、ガス栓６も水平になっており、導入口金３ｅから後方に向かって延びている。栓本体６ａの長手方向の中央部の下部には、下方から見たとき円形をなす摘み６ｅが設けられている。摘み６ｅは、栓本体６ａの内部に設けられた弁体（図示せず）を開閉回動させるためのものであり、摘み６ｂを操作してガス栓６を開状態にすると、ガス供給管Ｇ及びガス栓６を介してガスコンロ本体３にガスが供給される。なお、ガス供給管Ｇの上流側端部は、筐体２の背板２ｄを貫通して筐体２の外部に導出され、元栓（図示せず）に接続されている。
【００１２】
上記構成のビルトイン式ガスコンロ１においては、導入口金３ｅが水平方向を向くようにして設けられているから、ガス栓６及びガス供給管Ｇも水平方向に配置することができ、下方に向かって収容空間Ｓ内に突出することがない。したがって、収容空間Ｓが狭められることがなく、収容空間Ｓを有効に利用するができる。特に、この実施の形態では、導入口金３ｅが、ガスコンロ本体３の後面３ｃに、それも下面３ａより上側に配置されているので、ガス栓６及びガス供給管Ｇは、ガスコンロ本体３の後方で収容空間Ｓより上側に位置する。したがって、収容空間Ｓが狭められることがない。しかも、ガス栓６としてＩ型ガス栓が用いられ、それが水平に配置されているから、ガス栓６は収容空間Ｓ内に突出することがない。したがって、収容空間Ｓが狭くなることが全くなく、収容空間Ｓ全体をさらに有効利用することができる。
【００１３】
図５及び図６は、この発明の第２実施の形態を示す。この実施の形態のビルトイン式ガスコンロ１においては、ガス栓６に代えてガス栓６Ａが用いられている。ガス栓６Ａの栓本体６ａは、その長手方向の中央部において屈曲させられることによって略「く」字状をなっている。栓本体６ａの下流側端部６ｃは、導入口金３ｅに接続されているので水平になっている。その一方、栓本体６ａの上流側端部６ｂは、後方へ向かうにしたがって下方へ向かうように傾斜させられている。上流側端部６ｂの下面には、摘み６ｅが設けられている。この摘み６ｅは、その軸線を上流側端部６ｂの軸線と直交させた状態で設けられている。したがって、摘み６ｅの端面は、斜め下前方を向いている。上流側端部６ｂが斜め下後方に向かうように傾斜しているので、ガス供給管Ｇの上流側端部６ｂ近傍部分も、同様に傾斜させられている。なお、その他の構成は、上記実施の形態と同様であり、同様な部分には同一符号を付してその説明を省略する。
【００１４】
上記の構成のガスコンロ１においては、上流側端部６ｂが斜め下後方へ向かうように傾斜しているので、上流側端部６ｂが収容空間Ｓ内に入り込み、その分だけ収容空間Ｓが狭められる。しかし、上流側端部６ｂは、収容空間Ｓの後端部に位置しており、収容空間Ｓの後端部は物品の収容には使用されることがほとんどない。したがって、収容空間Ｓの有効利用可能な空間を実質的に狭めることがない。しかも、摘み６ｅが斜め下前方を向いているので、摘み６ｅが真下を向いている上記実施の形態に比して、摘み６ｅの回動位置、つまりガス栓６の開閉状態を容易に確認することができる。
【００１５】
なお、この発明は、上記の実施の形態に限定されるものでなく、その要旨を逸脱しない範囲において適宜変更可能である。
例えば、上記の実施の形態においては、導入口金３ｅが水平方向後方に向けて設けられているが、ガスコンロ本体３の左右の側面部に左右方向外側に向けて設けてもよい。
また、上記の実施の形態においては、ストレートないしは鈍角に屈曲した栓本体６ａが用いられているが、直角に屈曲した栓本体を用いてもよい。
【図面の簡単な説明】
【００１６】
【図１】この発明の第１実施の形態を示す一部省略示す正面図である。
【図２】同実施の形態の一部省略平面図である。
【図３】図１のＸ−Ｘ線に沿う拡大断面図である。
【図４】図３の要部を示す拡大図である。
【図５】この発明の第２実施の形態を示す図３と同様の図である。
【図６】図５の要部を示す拡大図である。
【符号の説明】
【００１７】
Ｇ  ガス供給管
１  ビルトイン式ガスコンロ
２  筐体
２ａ  装着口
２ｂ  出し入れ口
３  ガスコンロ本体
３ａ  （ガスコンロ本体の）下面
３ｃ  （ガスコンロ本体の）後面
３ｅ  導入口金（導入口）
４  扉
６  ガス栓
６Ａ  ガス栓
６ａ  栓本体
６ｂ  上流側端部
６ｃ  下流側端部
６ｅ  摘み
【図１】
2008113817.tif 000003
【図２】
2008113817.tif 000004
【図３】
2008113817.tif 000005
【図４】
2008113817.tif 000006
【図５】
2008113817.tif 000007
【図６】
2008113817.tif 000008